(57)【要約】  回転のための切削工具（１）が、結合部（４）、中間部（５）、および切削部（２）を備え、中間部（５）は結合部（４）と切削部（２）との間で延び、中間部（５）はその長手方向中心軸（Ａ１）に沿って延び、切削部（２）は第１のノーズ部（１０）と第２のノーズ部（１０’）とを備え、第１のノーズ部（１０）は、第１の切れ刃（１１）と、第２の切れ刃（１２）と、第１の切れ刃（１１）と第２の切れ刃（１２）とを連結する凸状ノーズ切れ刃（１３）とを備え、第１の切れ刃（１１）および第２の切れ刃（１２）は、９０°未満のノーズ角（α）を形成し、結合部（４）の長手方向中心軸が工具旋回軸（Ｒ１）を定め、中間部（５）はその長手方向中心軸（Ａ１）に沿って延び、切削部（２）は上面（７）を備え、上面（７）は結合部（４）から離れる方を向き、第１のノーズ部（１０）および第２のノーズ部（１０’）は切削工具（１）の自由端を各々形成する。【選択図】図７
2021516628.tif 000002
【特許請求の範囲】
【請求項１】
回転のための切削工具（１）であって、
結合部（４）、中間部（５）、および切削部（２）を備え、
前記中間部（５）は前記結合部（４）と前記切削部（２）との間で延び、
前記中間部（５）はその長手方向中心軸（Ａ１）に沿って延び、
前記切削部（２）は第１のノーズ部（１０）と第２のノーズ部（１０’）とを備え、
前記第１のノーズ部（１０）と前記第２のノーズ部（１０’）とは恒久的に連結され、
前記第１のノーズ部（１０）は、第１の切れ刃（１１）と、第２の切れ刃（１２）と、前記第１の切れ刃（１１）と前記第２の切れ刃（１２）とを連結する凸状ノーズ切れ刃（１３）とを備え、
前記第１の切れ刃（１１）および前記第２の切れ刃（１２）は、９０°未満のノーズ角（α）を形成する切削工具において、
前記結合部（４）の長手方向中心軸が工具旋回軸（Ｒ１）を定め、
前記中間部（５）はその長手方向中心軸（Ａ１）に沿って延び、
前記長手方向中心軸（Ａ１）は前記工具旋回軸（Ｒ１）と平行または同一線上にあり、
前記切削部（２）は上面（７）を備え、
前記上面（７）は前記結合部（４）から離れる方を向き、
前記第１のノーズ部（１０）および前記第２のノーズ部（１０’）は前記切削工具（１）の自由端を各々形成することと、
上面図において、前記第１のノーズ部（１０）と前記第２のノーズ部（１０’）とは、前記中間部（５）の前記長手方向中心軸（Ａ１）の周りで測定されるときに互いに対して９０°超の角度を形成することと、
上面図において、前記第１の切れ刃（１１）と同一線上の第１の延長線（２１）と、前記第２の切れ刃（１２）と同一線上の第２の延長線（２２）とは、前記中間部（５）の長手方向中心軸（Ａ１）に対して両側において延びることとを特徴とする切削工具。
【請求項２】
前記結合部（４）と前記中間部（５）とは工具本体（３）を合同で形成し、
前記切削部（２）は第１の切削インサート（２）の形態であり、
前記工具本体（３）の前端（２０）が、前記第１の切削インサート（２）のための第１のインサート座部（６）によって定められ、
前記第１の切削インサート（２）は、締め付け手段（１４）によって前記第１のインサート座部（６）において取り外し可能に締め付けられ、
前記第１の切削インサート（２）は、前記上面（７）と反対の下面（８）を備え、側面（９）が前記上面（７）と前記下面（８）とを連結し、
中間平面（Ｍ１）が前記上面（７）と前記下面（８）との間の中間で延び、
前記ノーズ切れ刃（１３）は、上面図において、０．１５〜１．３ｍｍの曲率半径を有して凸状に湾曲される、請求項１に記載の切削工具。
【請求項３】
前記中間平面（Ｍ１）は、前記中間部（５）の前記長手方向中心軸（Ａ１）に対して垂直である、請求項２に記載の切削工具。
【請求項４】
前記第１のインサート座部（６）は第１のインサート座部旋回係止手段（２３〜２６）を備え、
前記第１の切削インサート（２）は、前記第１のインサート座部旋回係止手段（２３〜２６）と協働する第１の切削インサート旋回係止手段（１６〜１８）を備える、請求項２または３に記載の切削工具。
【請求項５】
前記第１の切削インサート旋回係止手段（１６〜１８）は前記第１の切削インサート（２）の前記下面に形成される、請求項４に記載の切削工具。
【請求項６】
前記上面（７）は、切屑破壊手段または切屑形成手段を１つもしくは複数の突起（１５）および／または窪みの形態で備える、請求項１から５のいずれか一項に記載の切削工具。
【請求項７】
前記第１の切削インサート（２）は、上面図において１８０°または１２０°で対称または実質的に対称である、請求項２から６のいずれか一項に記載の切削工具。
【請求項８】
前記締め付け手段（１４）は締め付けネジ（１４）の形態にあり、
前記第１の切削インサート（２）は前記締め付けネジ（１４）のための孔（２７）を備え、
前記孔（２７）は前記上面（７）および前記下面（８）と交差し、
前記孔（２７）は第１の切削インサート中心軸（Ａ２）を定め、
前記第１の切削インサート中心軸（Ａ２）は前記旋回軸（Ｒ１）と同一線上にあり、
前記長手方向中心軸（Ａ１）は前記工具旋回軸（Ｒ１）と同一線上にある、請求項２から７のいずれか一項に記載の切削工具。
【請求項９】
前記長手方向中心軸（Ａ１）は前記工具旋回軸（Ｒ１）と平行に、かつ前記工具旋回軸（Ｒ１）から離間され、前記凸状ノーズ切れ刃（１３）は前記工具旋回軸（Ｒ１）と交差または実質的に交差する、請求項１から７のいずれか一項に記載の切削工具。
【請求項１０】
上面図において、前記中間部（５）は前記結合部（４）の外側境界線の内側にある、請求項１から９のいずれか一項に記載の切削工具。
【請求項１１】
前記切削工具（１）は冷却剤通路を備え、
前記冷却剤通路は前記結合部（４）とノズル（２８）との間で延び、
前記ノズル（２８）は前記中間部（５）に形成され、
前記冷却剤通路と前記ノズル（２８）とは、冷却剤流体を前記第１のノーズ部（１０）に向けて方向付けるように配置される、請求項１から１０のいずれか一項に記載の切削工具。
【請求項１２】
前記切削工具（１）は、第２のインサート座部において締め付けられる第２の切削インサート（２９）を備え、前記第２のインサート座部は前記工具本体（３）の前記中間部（５）において形成され、前記第２のインサート座部は、長手方向において前記第１の切削インサート（２）と前記結合部（４）との間に位置決めされ、前記第１の切削インサート（２）および前記結合部（４）から離間される、請求項２から１１のいずれか一項に記載の切削工具。
【請求項１３】
前記第１の切れ刃（１１）および前記第２の切れ刃（１２）は、上面図において、９０°未満のノーズ角（α）を形成する、請求項１から１２のいずれか一項に記載の切削工具。
【請求項１４】
前記工具本体（３）の前記前端（２０）はちょうど１つのインサート座部（６）から成る、請求項２から１３のいずれか一項に記載の切削工具。
【請求項１５】
コンピュータによる数値制御旋盤のための回転方法であって、
−  請求項１から１４のいずれか一項に記載の切削工具（１）を提供するステップと、
−  金属加工物（３１）を提供するステップと、
−  前記金属加工物（３１）を加工物旋回軸（Ｒ２）の周りで旋回させるステップと、
−  前記工具旋回軸（Ｒ１）を前記加工物旋回軸（Ｒ２）に対して垂直または実質的に垂直に設定するステップと、
−  前記第１の切れ刃（１１）が有効となるように、および、前記第２の切れ刃（１２）が無効となるように、第１の経路（３６）を作るステップと、
−  前記第１の切れ刃（１１）が無効となるように、および、前記第２の切れ刃（１２）が有効となるように、第２の経路（３７）を作るステップであって、前記第２の経路（３７）は、前記第１の経路（３６）と長手方向または径方向で反対または実質的に反対である、第２の経路（３７）を作るステップと
を含み、
前記第１の経路（３６）の間、および／または、前記第２の経路（３７）の間、および／または、前記第１の経路（３６）の後であるが前記第２の経路（３７）の前に、前記切削工具（１）を前記工具旋回軸（Ｒ１）の周りで旋回させるステップを含む回転方法。
【請求項１６】
前記切削工具（１）を前記金属加工物（３１）から後退させるステップと、
前記第１のノーズ部（１０）が前記金属加工物（３１）から離れる方に移動させられるように、および、前記第２のノーズ部（１０’）が前記金属加工物（３１）に向けて移動させられるように、前記切削工具（１）を前記工具旋回軸（Ｒ１）の周りで旋回させるステップと
をさらに含む、請求項１５に記載の回転方法。
【請求項１７】
コンピュータ数値制御旋盤によって実行されるとき、前記コンピュータ数値制御旋盤に、請求項１５または１６に記載の方法を実施させる命令を有するコンピュータプログラム。
【発明の詳細な説明】
【技術分野】
【０００１】
本発明は、金属切削の技術分野に属する。より詳細には、本発明は、コンピュータ数値制御またはコンピュータによる数値制御、つまり、ＣＮＣ、機械の使用による、金属加工物の回転のための切削工具の分野に属する。
【０００２】
具体的には、本発明は、結合部、中間部、および切削部を備える、回転のための切削工具であって、中間部は結合部と切削部との間で延び、中間部はその長手方向中心軸に沿って延び、切削部は第１のノーズ部と第２のノーズ部とを備え、記第１のノーズ部と第２のノーズ部とは恒久的に連結され、第１のノーズ部は、第１の切れ刃と、第２の切れ刃と、第１の切れ刃と第２の切れ刃とを連結する凸状ノーズ切れ刃とを備え、第１の切れ刃および第２の切れ刃は、９０°未満のノーズ角を形成する、切削工具に関する。
【背景技術】
【０００３】
ＣＮＣ旋盤を使用する金属加工物の回転において、所定の形を有する部品を機械加工するために、複数の切削工具を使用することが一般的である。部品の所定の形は、相当に異なる可能性があり、スロットまたは溝などの異なる特徴を含む可能性がある。
【０００４】
部品の機械加工において、機械加工時間を短縮することが要求される。機械加工時間を短縮する１つの方法は、工具交換のための時間を短縮することである。
【０００５】
ＥＰ１１５８３７８Ｂ１は、単一の工具で複数の機械加工モードにおいて機械加工することができる機械工具を提供することを請求しており、工具交換による機械加工時間の損失が低減でき、準備される工具の数が低減できる。一方のノーズ部が自由端であり、それによって有効または使用可能な位置になるように、約５５°のノーズ角の２つの反対のノーズ部を備え、工具本体に装着される切削インサートを備える従来の工具が提供される。スロットの機械加工（図７における工具位置２５Ｆ、２５Ｇ）が示されている。いわゆるＢ軸がいくつかの角度に設定され得る。
【０００６】
本発明者は、多くの従来の工具が前述の方法における前述の従来の工具を用いて差し替えることができるが、改良された切削工具に対する要求があることを見出した。
【発明の概要】
【０００７】
本発明者は、改良された方法において使用できる改良された回転工具対する要求があることを見出した。例えば、前述の方法および工具を使用してスロットを機械加工するとき、可能なＢ角度調節の角度は、特にはスロットの深さおよび幅といった幾何学的形状の要因により制限される。比較的深く細いスロットについて、工具本体と加工物との間には干渉の危険性の増加がある。本発明者が見出した改良に対するさらなる要求は、特には、深いスロットの回転においてなど、大きな張り出しを有する切削工具が必要とされる場合の、振動の危険性に関する。改良に対するなおもさらなる要求は、ＣＮＣ機械についてのダウンタイムを短縮することに関する。
【０００８】
本発明の目的は、改良された回転工具を提供することである。これは、請求項１による切削工具によって達成される。別の言い方をすれば、これは、結合部の長手方向中心軸が工具旋回軸を定め、中間部はその長手方向中心軸に沿って延び、長手方向中心軸は工具旋回軸と平行または同一線上にあり、切削部は上面を備え、上面は結合部から離れる方を向き、第１のノーズ部および第２のノーズ部は切削工具の自由端を各々形成することと、上面図において、第１のノーズ部と第２のノーズ部とは、中間部の長手方向中心軸の周りで測定されるときに互いに対して９０°超の角度を形成することと、上面図において、第１の切れ刃と同一線上の第１の延長線と、第２の切れ刃と同一線上の第２の延長線とは、中間部の長手方向中心軸に対して両側において延びることとを特徴とする最初に定められた切削工具によって実現される。
【０００９】
このような切削工具によって、比較的細いポケットが機械加工できるようにアクセス性が向上させられる。このような切削工具によって、振動の危険性が低減させられ、切削工具の撓みの危険性が低減させられる。このような切削工具によって、第１の切れ刃を使用する第１の方向において回転し、工具を工具旋回軸の周りで旋回させ、第２の切れ刃を用いる反対方向で回転させることが可能であり、それによって機械加工時間を短縮する。このような切削工具によって、有効位置にある使用された第１のノーズ部から有効位置における第２の新たなノーズ部への変更が短時間で行えるため、割り出し時間が短縮される。従来、回転において、割り出しは手作業で行われており、切削インサートをインサート座部から除去するステップと、摩耗した切削インサートを新たな切削インサートと差し替えるステップとを伴う。代替で、新たなノーズ部への変更は、使用された切削工具を機械接合部分から除去すること、つまり、締め付け解除することを伴う自動または手動のステップによって行われる。従来の切削工具を使用する前述の従来の方法と比較して、本切削工具は、より短い時間しか掛からない選択肢を提供する。
【００１０】
切削工具は金属加工物の回転に適する。別の言い方をすれば、切削工具は、旋回する金属加工物を切削するために使用できる回転工具である。結合部を備える切削工具は、例えば回転旋盤、マルチタスク機械、回転フライス機械、またはスライドヘッド式機械などの回転のために使用できる機械工具の例えばスピンドルといった旋回可能な機械接合部分に、直接的に、または、１つまたは複数の工具装置によって連結されるのに適する。機械工具は、好ましくはＣＮＣ機械、つまり、コンピュータ数値制御機械またはコンピュータによる数値制御機械である。結合部は、好ましくは、ＩＳＯ  ２６６２３−１：２０１４に準拠するなどのフランジ接触面を伴う多角形で中空の先細り接合部分、または、ＤＩＮ  ６９８９３、ＩＳＯ  １２１６４−１、またはＩＳＯ  １２１６４−１Ｆに準拠するなどのフランジ接触面を伴う中空の先細り部の形態においてなど、好ましくは円錐形または実質的に円錐形の部分および輪状に成形された部分である。
【００１１】
円錐形の部分と輪状に成形された部分とは好ましくは同心である。円錐形の部分に対して、輪状に成形された部分は、好ましくは、工具旋回軸に対してより大きな径方向の距離で延びる。
【００１２】
結合部の長手方向中心軸が工具旋回軸を定める。別の言い方をすれば、結合部が例えば機械スピンドルといった機械接合部分に装着されるとき、切削工具は工具旋回軸の周りで旋回可能である。別の言い方をすれば、切削工具は工具旋回軸の周りで旋回可能となるように配置される。
【００１３】
工具旋回軸は結合部の長手方向中心軸である。切削工具はその工具旋回軸の周りで旋回可能となるように配置される。
【００１４】
結合部は、好ましくは、工具旋回軸の周りで対称的または実質的に対称的に配置される。
【００１５】
結合部は、好ましくは、中間部に恒久的に連結され、それによって工具本体を形成する。
【００１６】
結合部および中間部は好ましくは鋼鉄から作られる。
【００１７】
中間部は、結合部と切削部との間で延び、結合部と切削部とを連結する。
【００１８】
中間部はその長手方向中心軸に沿って延びる。中間部は、好ましくは、その長手方向中心軸の周りで対称的または実質的に対称的に配置される。
【００１９】
旋回軸に対して垂直な断面において、中間部は、好ましくは、中間部の前端においてより、つまり、中間部と切削部との間の交差部においてより、中間部の後端において、つまり、結合部と中間部との間の交差部において、大きさがより大きく、つまり、より大きな面積を有する。
【００２０】
長手方向中心軸は、工具旋回軸と平行または同一線上にあり、つまり、工具旋回軸と同軸である。長手方向中心軸が工具旋回軸と平行であることは、長手方向中心軸が工具旋回軸から離間されていることを意味する。
【００２１】
切削工具は切削部を備える。切削部は切削工具の前端を定める。結合部は切削工具の後端を定める。切削は、好ましくは、例えば超硬合金、陶性合金、立方晶窒化ホウ素（ＣＢＮ）、またはセラミックなど、硬い耐摩耗材料から作られる切削インサートの形態である。切削インサートは、好ましくは、中間部の前端に形成されるインサート座部に取り外し可能に装着される。
【００２２】
代替で、切削部、結合部、および中間部は単一の物体である。
【００２３】
切削部は、すくい面を備える上面を備える。
【００２４】
上面は結合部から離れる方を向いている。
【００２５】
切削工具は、好ましくは、上面から締め付け部分までの距離が、中間部の長手方向中心軸に対して垂直な平面において測定される切削工具の最大直径より大きくなるように、中間部の長手方向中心軸の方向において細長くされる。
【００２６】
切削部は第１のノーズ部と第２のノーズ部とを備える。ノーズ部が、代わりに角部と呼ばれてもよい。
【００２７】
第１のノーズ部と第２のノーズ部とは互いに恒久的に連結される。好ましくは、第１の部分と第２の部分とは１つの切削インサートのノーズ部の形態にある。
【００２８】
第１のノーズ部は、第１の切れ刃と、第２の切れ刃と、第１の切れ刃と第２の切れ刃とを連結する凸状ノーズ切れ刃とを備える。
【００２９】
ノーズ切れ刃は、上面図において、０．１５〜１．３ｍｍ、さらに好ましくは０．３〜０．９ｍｍの曲率半径を有する円弧など、好ましくは凸状に湾曲させられる。代替で、ノーズ切れ刃は、上面図において、異なる曲率半径を有する２つ以上の円弧を備える形など、完全な円弧から逸脱する凸状の形を有してもよい。例えば、ノーズ切れ刃はいわゆるワイパノーズ切れ刃であってもよい。
【００３０】
好ましくは、ノーズ切れ刃は中間部の長手方向中心軸に対して切削部の最も遠位の部分である。
【００３１】
上面は、好ましくはノーズ切れ刃の近傍、つまり、ノーズ切れ刃から３ｍｍ未満に位置付けられる、好ましくは１つまたは複数の突起の形態において、好ましくは切屑破壊手段を備える。
【００３２】
第１の切れ刃および第２の切れ刃は各々、上面図において、好ましくは真っ直ぐまたは実質的に真っ直ぐである。好ましくは、上面図において、第１の切れ刃と第２の切れ刃との間の中間に形成される二等分線が中間部の長手方向中心軸と交差する。
【００３３】
好ましくは、第２のノーズ部は、凸状に湾曲されたノーズ切れ刃を備え、それにより第１のノーズ部および第２のノーズ部の凸状に湾曲されたノーズ切れ刃が工具旋回軸に対して垂直な共通平面にそれぞれ位置決めされる。
【００３４】
第１の切れ刃と第２の切れ刃とは、上面図において、９０°未満、好ましくは１５°〜８５°、さらにより好ましくは２０°〜４０°であるノーズ角を形成する。
【００３５】
第１のノーズ部および第２のノーズ部は切削工具の自由端を各々形成する。第１のノーズ部および第２のノーズ部は切削部の径方向外側の部分を各々形成し、ここで径方向外側は中間部の長手方向軸を参照している。別に系統立てて言うと、第１のノーズ部および第２のノーズ部は、切削工具の前端の径方向外側の端部分を備える。
【００３６】
第１のノーズ部と第２のノーズ部とは交互に有効となるように配置される。
【００３７】
第１のノーズ部および第２のノーズ部は切削工具の前端の径方向遠位の部分を形成し、ここで、前記径方向の距離は中間部の長手方向中心軸に対してである。
【００３８】
第１のノーズ部および第２のノーズ部は中間部の長手方向中心軸から等しい距離に好ましくは位置付けられる。代替で、前記距離は、好ましくは３０％未満で、さらにより好ましくは１０％未満で、変化してもよい。
【００３９】
第１のノーズ部と第２のノーズ部とは、好ましくは、対応する手法で形成され得る。代替で、第２のノーズ部は異なって配置されてもよく、つまり、例えば、上面図において異なる形を有する、および／または、上面図において、第１のノーズ部のノーズ切れ刃の湾曲と異なる湾曲を有するノーズ切れ刃を備えるといった、第１のノーズ部と比較して、異なる形または化学組成を有する。
【００４０】
切削部の上面が見る人の方を向いている上面図において、第１のノーズ部と第２のノーズ部とは、中間部の長手方向中心軸の周りで測定されるときに互いに対して９０°超、好ましくは１２０°または１８０°の角度を形成する。
【００４１】
上面図において、第１の切れ刃と同一線上の第１の延長線と、第２の切れ刃と同一線上の第２の延長線とは、中間部の長手方向中心軸に対して両側において延びる。好ましくは、上面図において、第１の切れ刃と第２の切れ刃との間に形成される二等分線の延長が中間部の長手方向中心軸と交差する。
【００４２】
好ましくは、上面図において、切削部は、５０ｍｍの直径を有する円の内側にあり、より好ましくは、３５ｍｍの直径を有する円の内側にある。
【００４３】
好ましくは、切削工具は、８０〜４００ｍｍ、より好ましくは９０〜２５０ｍｍである、工具旋回軸に沿ってかまたは工具旋回軸と平行に測定される長さを有する。
【００４４】
好ましくは、切削工具は、切削工具の前記長さより小さく、好ましくは前記長さの０．２〜０．８倍である、工具旋回軸に対して垂直に測定される最大直径を有する。
【００４５】
好ましくは、工具旋回軸に沿ってかまたは工具旋回軸と平行に測定される結合部の長さは中間部の長さより小さい。
【００４６】
好ましくは、工具旋回軸に沿ってかまたは工具旋回軸と平行に測定される切削部の長さは、中間部の長さより小さく、より好ましくは中間部の長さの１５％未満である。
【００４７】
実施形態によれば、結合部と中間部とは工具本体を合同で形成し、切削部は第１の切削インサートの形態であり、工具本体の前端が、第１の切削インサートのための第１のインサート座部によって定められ、第１の切削インサートは、締め付け手段によって第１のインサート座部において取り外し可能に締め付けられ、第１の切削インサートは、上面と反対の下面を備え、側面が上面と下面とを連結し、中間平面が上面と下面との間の中間で延び、ノーズ切れ刃は、上面図において、０．１５〜１．３ｍｍの曲率半径を有して凸状に湾曲される。
【００４８】
このような切削工具によって、第１の切削インサートの形態での切削部だけが使用後に差し替えられる必要があり、それによって切削工具をより経済的にする。
【００４９】
切削工具は、好ましくは超硬合金など、金属切削に適した硬い耐摩耗材料から好ましくは作られる第１の切削インサートを備える。切削工具は、例えば鋼鉄など、比較的より劣った耐摩耗材料から好ましくは作られる工具本体を備える。工具本体は結合部と中間部とを備える。結合部と中間部とは恒久的に連結され、それによって工具本体を単一の物体の形態で形成する。
【００５０】
工具本体は、締め付け部分によって定められる後端と、第１の切削インサートのための第１のインサート座部またはインサートポケットによって定められる前端との間で長手方向に延びる。
【００５１】
第１の切削インサートは、例えば１つまたは複数のネジを用いてといった締め付け手段によって、第１のインサート座部において取り外し可能もしくは除去可能に締め付けまたは係止される。
【００５２】
第１の切削インサートは、上面と反対の下面を備える。上面はすくい面を備える。側面は上面と下面とを連結する。側面は逃がし面を備える。第１の切れ刃、第２の切れ刃、およびノーズ切れ刃は、側面と上面との間の交差部に形成される。
【００５３】
中間平面が上面と下面との間の中間で延びる。
【００５４】
第１の切削インサートは中間平面に対して鏡面対称であってもよい。別の言い方をすれば、第１の切削インサートは、いわゆるネガティブの切削インサートであり得る。
【００５５】
好ましくは、上面の面積は下面の面積より大きく、前記面積は、前記面の外側境界線の内側の面積として定められる。別の言い方をすれば、好ましくは、第１の切削インサートはポジティブの切削インサートであり得る。このようなインサートは向上した逃げを与える。
【００５６】
好ましくは、上面および下面は、それらの形が互いに対応または実質的に対応するように成形される。例えば、上面が概して三角形とされる場合、下面は好ましくは三角形とされる。他の適切な形には菱形がある。
【００５７】
ノーズ切れ刃は、上面図において、０．１５〜１．３ｍｍの曲率半径を有して凸状に湾曲される。別の言い方をすれば、上面図において、ノーズ切れ刃は円弧状にされる。ノーズ切れ刃は、上面図において、円形のアーチの形を有し得る。代替で、ノーズ切れ刃は、上面図において、例えば、ワイパノーズ半径、もしくはワイパ半径、またはワイパ設計として一般的には知られている形など、アーチ形とされるが完全な円形のアーチから逸脱する形を有してもよい。
【００５８】
上面図において、第１のノーズ部および第２のノーズ部は、好ましくは、中間部の前端の外側で径方向に延び、つまり、インサート座部の外側で径方向に延びる。
【００５９】
中間部の前端、つまり、工具本体の前端は、ちょうど１つのインサート座部から成る。
【００６０】
実施形態によれば、中間平面は、中間部の長手方向中心軸に対して垂直である。
【００６１】
このような切削工具によって、第１のノーズ部と第２のノーズ部との間で交互することが、特にはインサートが上面図において１２０°または１８０°で対称である場合、例えば切削力によって、切削性能が変化させられないように行われ得る。第１のノーズ部と第２のノーズ部とは、好ましくは、対応する手法で形成される。第１のノーズ部と第２のノーズ部との間で交互することは、好ましくは、切削工具をその旋回軸の周りで、１２０°または１８０°などの所定の角度で旋回させることで行われ得る。前記旋回は、好ましくは、切削インサートが無効であるときに行われる。第１のノーズ部と第２のノーズ部との間で交互することは、第１のノーズ部と第２のノーズ部とを有効位置に交互に位置決めすることを意味する。ノーズ部の有効位置は、機械加工される加工物と中間部の長手方向中心軸との間にある。
【００６２】
中間平面は、中間部の長手方向中心軸に対して垂直であり、したがって旋回軸に対して垂直でもある。
【００６３】
実施形態によれば、第１のインサート座部は第１のインサート座部旋回係止手段を備え、第１の切削インサートは、第１のインサート座部旋回係止手段と協働する第１の切削インサート旋回係止手段を備える。
【００６４】
このような切削工具によって、切削インサートを旋回軸と平行な軸の周りで旋回させる危険性が低減される。別の言い方をすれば、インサート座部に対する切削インサートの移動の危険性が低減される。
【００６５】
第１のインサート座部は、第１のインサート座部旋回係止手段、つまり、旋回防止手段を、好ましくは１つもしくは複数の溝または隆条部の形態で備える。好ましくは、前記１つもしくは複数の溝または隆条部は、第１の切れ刃と第２の切れ刃との間に形成される二等分線に対応する方向に延びる。好ましくは、前記少なくとも１つもしくは複数の溝または隆条部は、接触面または支持面として機能する１つまたは複数の傾斜面を、前記１つまたは複数の傾斜面が、旋回軸に対して垂直な平面に対して、好ましくは５〜７０°の角度で傾斜させられるように備える。
【００６６】
第１の切削インサートは、好ましくは１つもしくは複数の突起または凹所の形態で、さらにより好ましくは１つもしくは複数の溝または隆条部の形態で下面に形成される第１の切削インサート旋回係止手段または旋回防止手段を好ましくは備える。好ましくは、前記１つもしくは複数の溝または隆条部は、第１の切れ刃と第２の切れ刃との間に形成される二等分線に対応する方向に延びる。好ましくは、前記少なくとも１つもしくは複数の溝または隆条部は、接触面または支持面として機能する１つまたは複数の傾斜面を、前記１つまたは複数の傾斜面が、中間平面に対して垂直な平面に対して、好ましくは５〜７０°の角度で傾斜させられるように備える。
【００６７】
前記協働する旋回係止手段は、第１の切削インサートの下面が、切削インサートの中心軸の両側において延びる２つの平行な離間された溝と、旋削インサートの１つもしくは複数の尖った角の二等分線に沿って延びるさらなる少なくとも１つの垂直な溝とを備えるように好ましくは配置され得る。前記下面は、好ましくは、ＥＰ１７０２７０３Ａ１に従って、または、ＥＰ１７０２７０３Ａ１に記載されているのと実質的に同様に配置され、さらにより好ましくは、ＥＰ１７０２７０３Ａ１における段落［００１８］に記載され、図５に示されているように配置される。インサート座部は、対応する手法で配置された隆条部を好ましくは備える。
【００６８】
代替で、前記協働する旋回係止部は、切削インサートの側面が１つまたは複数の接触面を備えるように配置され、インサート座部は１つまたは複数の突起を備え、前記１つまたは複数の突起は前記接触面のうちの少なくとも１つと接触している。インサート座部の下面に対して、前記１つまたは複数の突起は連結部から離れる方へ延びる。
【００６９】
実施形態によれば、第１の切削インサート旋回係止手段は第１の切削インサートの下面に形成される。
【００７０】
このような切削工具によって、アクセス性がさらに向上させられる。例えば、細い幅を有する空洞またはポケットがこのような切削工具を用いて機械加工できる。
【００７１】
切削インサートの下面は平坦ではない。下面に形成される旋回係止手段は、１つもしくは複数の凹所または突起の形態であり、好ましくは１つもしくは複数の溝または隆条部の形態である。
【００７２】
実施形態によれば、上面は、切屑破壊手段または切屑形成手段を１つもしくは複数の突起および／または窪みの形態で備える。
【００７３】
このような切削工具によって、切屑制御および／または切屑破壊は回転加工において向上させられる。
【００７４】
好ましくは、第１のノーズ部の上面は、上面図において、第１の切れ刃と第２の切れ刃との間に形成される二等分線に対して対称または実質的に対称である突起を備える。
【００７５】
好ましくは、上面は、中間平面と平行でノーズ切れ刃を備える平面を超えて延びる突起を備える。別の言い方をすれば、前記突起は中間平面から離れる方向に延びる。前記突起は側面から離間される。
【００７６】
実施形態によれば、第１の切削インサートは、上面図において１８０°または１２０°で対称または実質的に対称である。
【００７７】
このような切削工具によって、切削工具は、切削インサートを交換することなくより長い時間にわたって使用できる。
【００７８】
第１の切削インサートは片面とされ得る。代替で、第１の切削インサートは、上面と下面とが交互に使用可能となるように両面とされてもよい。
【００７９】
好ましくは、上面図における第１の切削インサートは、少なくとも２つであるが３つ以下のノーズ部を備える。
【００８０】
好ましくは、第１の切れ刃と第２の切れ刃との間で延びる二等分線が長手方向中心軸と交差する。
【００８１】
実施形態によれば、締め付け手段は締め付けネジの形態であり、第１の切削インサートは締め付けネジのための孔を備え、孔は上面および下面と交差し、孔は第１の切削インサート中心軸を定め、第１の切削インサート中心軸は旋回軸と同一線上であり、長手方向中心軸は工具旋回軸と同一線上である。
【００８２】
このような切削工具によって、第１の切削インサートの割り出しは、第１の切削インサートが細い空洞または細いポケットの内側にある場合、より複雑でない方法で行うことができる。この文脈における割り出しは、１つの切削部が有効位置に位置決めされるように、好ましくは１２０°または１８０°といった角度での切削工具の旋回軸の周りでの旋回を通じて行われる。
【００８３】
したがって、インサート座部への切削インサートの締め付けは締め付けネジを用いて実現される。第１の切削インサートは、上面および下面と交差する孔を備え、その孔を通じて締め付けネジが延びる。工具本体は、インサート座部と交差する第１の切削インサート中心軸と同一線上のネジ切り孔を備える。
【００８４】
凸状ノーズ切れ刃は工具旋回軸から離間される。
【００８５】
実施形態によれば、長手方向中心軸は工具旋回軸と平行に、かつ工具旋回軸から離間され、凸状ノーズ切れ刃は工具旋回軸と交差または実質的に交差する。
【００８６】
このような切削工具によって、凸状ノーズ切れ刃についての位置は、より便利な手法で決定でき、それによって、ＣＮＣ旋盤のプログラミングをより容易に行える。
【００８７】
このような切削工具によって、特に第１のノーズ部と第２のノーズ部とが上面図において１８０°または実質的に１８０°の角度を形成する場合に第２のノーズ部を使用するとき、干渉の危険性が低減されるため、より深いポケットが機械加工できる。
【００８８】
凸状ノーズ切れ刃は工具旋回軸と交差または実質的に交差する。この文脈における実質的な交差は、凸状ノーズ切れ刃の中間点が工具旋回軸から０．５ｍｍ以内に位置決めされるなどとして解釈される。
【００８９】
実施形態によれば、上面図において、中間部は結合部の外側境界線の内側にある。
【００９０】
このような切削工具によって、アクセス性がさらに向上させられる。このような切削工具によって、第１の切削インサートの割り出しは、第１の切削インサートが細い空洞または細いポケットの内側にある場合、より複雑でない方法で行うことができる。
【００９１】
上面図において、中間部は締め付け部分の外側境界線の内側にある。別の言い方をすれば、工具旋回軸から中間部への最大距離は、工具旋回軸から結合部への最大距離と等しい、または、好ましくはそのような最大距離より短い。
【００９２】
上面図において、好ましくは、切削インサートは結合部の外側境界線の内側にある。
【００９３】
実施形態によれば、切削工具は冷却剤通路を備え、冷却剤通路は結合部とノズルとの間で延び、ノズルは中間部に形成され、冷却剤通路とノズルとは、冷却剤流体を第１のノーズ部に向けて方向付けるように配置される。
【００９４】
このような切削工具によって、切れ刃の摩耗は低減させられ得る。
【００９５】
切削工具は、結合部に形成される冷却剤通路入口と、冷却剤通路出口、つまり、ノズルとの間で延びる冷却剤通路を備える。冷却剤通路入口は、好ましくは工具旋回軸と同心で配置される。ノズルは中間部の外面に開放する。ノズルは長手方向において切削インサートと結合部との間に位置決めされる。
【００９６】
冷却剤通路とノズルとは、冷却剤流体が第１のノーズ部に向けて方向付けられ、好ましくは、凸状ノーズ切れ刃から２．０ｍｍ以内の点または領域に向けて方向付けられるように配置される。
【００９７】
実施形態によれば、切削工具は、第２のインサート座部において締め付けられる第２の切削インサートを備え、第２のインサート座部は工具本体の中間部において形成され、第２のインサート座部は、長手方向において第１の切削インサートと結合部との間に位置決めされ、第１の切削インサートおよび結合部から離間される。
【００９８】
このような切削工具によって、第１の切削インサートから第２の切削インサートへの変更が短い時間で行えるため、部品を機械加工するための時間がさらに短縮できる。
【００９９】
切削工具、より正確には工具本体は、第２のインサート座部において、好ましくは締め付けネジを用いて、締め付けられるかまたは除去可能に留め付けられる第２の切削インサートの形態で第２の切削部を備える。
【０１００】
好ましくは、第２の切削インサートは、第１の切削インサートと比較して、上面図において形が異なる。例えば、第２の切削インサートはネジ切りインサートまたは溝切りインサートであり、第１の切削インサートは回転インサートである。
【０１０１】
第２のインサート座部は、長手方向において第１の切削インサートと結合部との間で、第１の切削インサートおよび結合部から離間される工具本体の中間部に形成される。別の言い方をすれば、第２のインサート座部は第１のインサート座部の後方に配置される。
【０１０２】
好ましくは、第２の切削インサートは、第２のインサートの少なくとも１つのノーズ部が、第１のノーズ部と比較して位置決めされ、中間部の長手方向中心軸より大きな距離に配置されるように、第２のインサート座部に除去可能に留め付けられる。
【０１０３】
好ましくは、第２の切削インサートにおいて、上面図において有効位置（つまり、径方向外側の位置）におけるノーズ部が、第１のノーズ部および第２のノーズ部に対して等しい大きい角度または実質的に等しい大きい角度を形成するように、第２の切削インサートは第２のインサート座部において除去可能に留め付けられる。例えば、切削工具が上面図において見られるとき、第１の切削インサートは、６時および１２時に配置される２つのノーズ部を備えてもよく、第２の切削インサートは、おおよそ３時または代替でおおよそ９時に配置される径方向外側のノーズ部を備えてもよく、ここで、時間の参照は、アナログの１２時間の時計に言及している。このような切削工具によって、逃げがさらに向上させられる。
【０１０４】
好ましくは、切削工具は第３のインサート座部を備える。好ましくは、第３のインサート座部は、中間部の長手方向中心軸に対して、第２のインサート座部の反対または実質的に反対に位置決めされる。
【０１０５】
好ましくは、第３のインサート座部と第２のインサート座部とは、長手方向において締め付け部分から等しい距離または実質的に等しい距離に位置決めされる。
【０１０６】
実施形態によれば、第１の切れ刃と第２の切れ刃とは、上面図において、９０°未満であるノーズ角を形成する。
【０１０７】
このような回転工具によって、より複雑な形を有する部品が機械加工できる。
【０１０８】
好ましくは、前記ノーズ角は１５°〜８５°である。
【０１０９】
さらにより好ましくは、前記ノーズ角は２０°〜４０°である。
【０１１０】
実施形態によれば、工具本体の前端はちょうど１つのインサート座部から成る。
【０１１１】
このような回転工具によって、より複雑な形を有する部品が機械加工できる。
【０１１２】
さらなる態様によれば、コンピュータによる数値制御旋盤のための回転方法であって、先の請求項のいずれかに記載の切削工具を提供するステップと、金属加工物を提供するステップと、金属加工物を加工物旋回軸の周りで旋回させるステップと、工具旋回軸を加工物旋回軸に対して垂直または実質的に垂直に設定するステップと、第１の切れ刃が有効となるように、および、第２の切れ刃が無効となるように、第１の経路を作るステップと、第１の切れ刃が無効となるように、および、第２の切れ刃が有効となるように、第２の経路を作るステップであって、第２の経路は、第１の経路と長手方向または径方向で反対または実質的に反対である、第２の経路を作るステップとを含み、第１の経路の間、および／または、第２の経路の間、および／または、第１の経路の後であるが第２の経路の前に、切削工具を工具旋回軸の周りで旋回させるステップを含む、コンピュータによる数値制御旋盤のための回転方法が提供される。
【０１１３】
このような回転方法によって、所定の特徴または所定の特徴の下位部分がより短い時間で機械加工できる。例えば、すべての経路が同じ方向にある複数の経路を使用する従来の長手方向の回転と比較して、本方法は、第１の経路の終了位置から後続の経路のための開始位置までより小さい移動となり得るため、より迅速となる。
【０１１４】
特に、窪み、またはポケット、または溝を備える所定の特徴または所定の特徴の下位部分が、１つだけの切削部が必要であるため、より短い時間で機械加工できる。切削工具の旋回は十分な逃げを提供するように選択され得る。
【０１１５】
さらに、切削工具の旋回によって、切込み角が送り方向および工具設計の結果である従来の回転と比較して、切込み角が自由に選択できる。したがって、工具耐用期間および／または切屑制御が向上され得る。
【０１１６】
切削部の上面が結合部から離れる方を向き、工具旋回軸は加工物旋回軸に対して垂直または実質的に垂直であるこのような方法によって、接線方向の切削力が、結合部が連結される機械スピンドルに向けて方向付けられる。それによって、振動または撓みの危険性が低減させられる。それによって、より深いポケットが機械加工できる。
【０１１７】
このような方法によって、単一の切削工具が数多くの種類の特徴を機械加工するために使用でき、それによって工具の在庫に対する必要性を低下させることができる。
【０１１８】
このような方法によって、切削部の工具耐用期間は、インサートの摩耗が第１の切れ刃と第２の切れ刃との両方に沿ってより均一に分布させられ得るので、長くなり得る。
【０１１９】
回転方法は、回転に適しているコンピュータによる数値制御（ＣＮＣ）旋盤を用いた使用のためであり、例えば、回転旋盤、マルチタスク機械、回転フライス機械、またはスライドヘッド式機械の形態であり得る。より明確には、回転方法は、電子制御システムが所定の特徴を金属加工物の所定の場所へと切削するために切削工具および金属加工物の旋回を含む移動を制御する機械加工の順序である。
【０１２０】
前記所定の特徴は、好ましくはポケットまたは溝を備える。前記所定の特徴は、好ましくは金属加工物の外側周囲面に開放している。
【０１２１】
金属加工物が提供される。金属加工物は、例えば鋼鉄、ステンレス鋼、ニッケルに基づく超合金、またはアルミニウムから作られ得る。
【０１２２】
金属加工物は、好ましくは、その旋回軸の周りで回転対称または実質的に回転対称である。例えば、金属加工物は円筒形または実質的に円筒形であり得る。
【０１２３】
金属加工物は周囲面を備える。金属加工物が円筒形である場合、周囲面は、側部の面積または側面の面積（側部の面積２πｒｈ）と、上基部の面積および下基部の面積（基部の面積とも呼ばれる各々の面積はπｒ２である）とを備え、ここで、ｒは円筒の半径であり、ｈは円筒の高さ（加工物旋回軸に沿う）である。
【０１２４】
金属加工物が円筒の形態でない場合であっても、側部の表面、つまり、加工物旋回軸から離れる方を向く表面と、基部の表面、つまり、加工物旋回軸と平行な方向を向く表面とをなおも定めることができる。
【０１２５】
方法は、金属加工物をその加工物旋回軸の周りで回転させるステップを含む。金属加工物は、その締め付け端において締め付け手段によって締め付けられ、旋回はモータを用いて実現される。ＣＮＣ旋盤は前記モータを備える。金属加工物は、金属加工物の周囲面の速度が好ましくは４０〜１０００ｍ／ｍｉｎとなるように旋回する。
【０１２６】
方法は、加工物旋回軸に対して、垂直である、または、実質的に垂直、つまり、１５°未満である工具旋回軸を設定するステップを含む。工具旋回軸と加工物旋回軸とは離間される。
【０１２７】
方法は、第１の切れ刃が有効となり、前刃または主切れ刃となるように、および、第２の切れ刃が無効となり、後刃または副切れ刃となるように、切削工具および工具旋回軸を金属加工物に対して移動させることで、第１の経路を作るステップを含む。ノーズ切れ刃は、切れ刃を発生させる表面である。第１の経路は、金属加工物の機械加工表面を作り出すか、または形成するか、または結果的にもたらす。
【０１２８】
前記第１の経路は、線形とでき、つまり、直線に沿うことができる。代替で、前記第１の経路は、湾曲され得る、または、非線形であり得る。いずれの場合でも、前記第１の経路は、好ましくは軸方向もしくは長手方向の成分である成分、つまり、長手方向の回転など、加工物旋回軸に沿う成分を含む、または代替で、フェーシングもしくはアウトフェーシングなど、加工物旋回軸に向かうかもしくは加工物旋回軸から離れる径方向の成分を含む。
【０１２９】
金属加工物の旋回速度と組み合わされる前記移動の速度は、第１の切れ刃についての送り込み速さを結果的にもたらし、その送り込み速さは好ましくは０．０５〜１．５ｍｍ／回転である。
【０１３０】
方法は、第１の切れ刃が無効となり、後刃または副切れ刃となるように、および、第２の切れ刃が有効となり、前刃または主切れ刃となるように、切削工具および工具旋回軸を金属加工物に対して移動させることで、第２の経路を作るステップを含む。ノーズ切れ刃は、切れ刃を発生させる表面である。第２の経路は機械加工表面を作り出す。
【０１３１】
前記第２の経路は、線形とでき、つまり、直線に沿うことができる。代替で、前記第２の経路は、湾曲され得る、または、非線形であり得る。いずれの場合でも、前記第２の経路は、好ましくは軸方向もしくは長手方向の成分である成分、つまり、長手方向の回転など、加工物旋回軸に沿う成分を含む、または代替で、フェーシングもしくはアウトフェーシングなど、加工物旋回軸に向かうかもしくは加工物旋回軸から離れる径方向の成分を含む。
【０１３２】
第１の経路についての開始位置と終了位置とは離間される。
【０１３３】
第２の経路についての開始位置と終了位置とは離間される。
【０１３４】
金属加工物の旋回速度と組み合わされる前記移動の速度は、第２の切れ刃についての送り込み速さを結果的にもたらし、その送り込み速さは好ましくは０．０５〜１．５ｍｍ／回転である。
【０１３５】
第２の経路は、第１の方向と長手方向または径方向で反対もしくは実質的に反対である。例えば、第１の経路またはその成分が金属加工物の締め付け端に向かう場合、第２の経路またはその成分は金属加工物の前記締め付け端から離れる方を向く。別の言い方をすれば、第２の経路は第１の経路と長手方向で反対である。
【０１３６】
別の例は、第１の経路またはその成分が加工物旋回軸に向かう場合である。このような場合、第２の経路またはその成分が加工物旋回軸から離れる。別の言い方をすれば、第２の経路は第１の経路と径方向で反対である。
【０１３７】
別に系統立てて言うと、第１の経路であっても第２の経路であっても金属加工物の側部の表面の切削に両方とも関連付けられる、または、第１の経路および第２の経路は金属加工物の一方の基部の表面の切削に両方とも関連付けられる。第１の例では、第１の経路および第２の経路は、長手方向の回転加工、または、長手方向において反対方向でのプロフィール回転加工であり得る。
【０１３８】
第２の例では、第１の経路および第２の経路は、それぞれインフェーシング加工およびアウトフェーシング加工など、フェーシング加工であり得る。
【０１３９】
別の言い方をすれば、「第２の経路は、第１の経路と長手方向または径方向で反対もしくは実質的に反対である」という表現は、第１の経路が長手方向の成分を含み、第２の経路が反対の長手方向の成分を含むかのように理解でき、第１の経路が径方向の成分を含む場合、第２の経路は反対の径方向の成分を含む。
【０１４０】
線形であり、径方向、つまり、加工物旋回軸に対して垂直である第２の経路は、第２の経路が加工物旋回軸に沿う成分を有していないため、線形であり、加工物旋回軸と平行である第１の経路の反対とは見なされない。
【０１４１】
好ましくは、第１の経路および第２の経路によって形成される所定の特徴または所定の特徴の下位部分は、金属加工物の側部の表面において完全にかまたは大規模に形成され、第１の方向および第２の方向の反対の成分はそれぞれ長手方向である。
【０１４２】
代替で、第１の経路および第２の経路によって形成される所定の特徴または所定の特徴の下位部分は、金属加工物の基部の表面において完全にかまたは大規模に形成され、第１の経路および第２の経路の反対の成分はそれぞれ径方向である。
【０１４３】
第１の経路および第２の経路のそれぞれの間の工具旋回軸の移動は、好ましくは平行な移動である。別の言い方をすれば、工具旋回軸の初期、中間、および最終の配向または位置が平行である。
【０１４４】
第１の経路および第２の経路は自動化された切削サイクルである。
【０１４５】
方法は、第１の経路の間、および／または、第２の経路の間、および／または、第１の経路の後であるが第２の経路の前に、回転工具を工具旋回軸の周りで旋回させるステップを含む。別の言い方をすれば、方法は、工具旋回軸の周りでの回転工具の旋回移動を含む。
【０１４６】
工具旋回軸の周りでの回転工具の前記旋回は、好ましくは、第１の経路および／または第２の経路の間の場合、切込み角が一定または実質的に一定となるように送り方向の変化と同期する。
【０１４７】
工具旋回軸の周りで回転工具を旋回させるステップは、第１の経路と第２の経路との間であり得る、つまり、第１の経路の後であるが第２の経路の前であり得る。このような場合、回転工具は、３６０°未満、好ましくは２０°〜１７０°、より好ましくは４０°〜１３０°である工具旋回軸の周りでの角度で旋回する。
【０１４８】
工具旋回軸の周りで回転工具を旋回させるステップは、代替で、第１の経路の間、つまり、第１の経路と同時であってもよい。このような場合、回転工具は、３６０°未満、好ましくは５°〜１８０°、より好ましくは１０°〜１７０°である工具旋回軸の周りでの角度で旋回する。
【０１４９】
回転工具を工具旋回軸の周りで回転させるステップは、代替で、第２の経路の間、つまり、第２の経路と同時であってもよく、つまり、工具旋回軸を反対の第２の方向において移動させるステップの間、つまり、そのようなステップと同時であってもよい。このような場合、回転工具は、３６０°未満、好ましくは５°〜１８０°、より好ましくは１０°〜１７０°である工具旋回軸の周りでの角度で旋回する。
【０１５０】
工具旋回軸の周りで回転工具を旋回させるステップは、代替で、第１の経路および第２の経路の間、つまり、第１の経路および第２の経路と同時であってもよい。このような場合、第１の経路および第２の経路のそれぞれの間の回転工具は、好ましくは５°〜１８０°、より好ましくは１０°〜１７０°である工具旋回軸の周りでの角度で旋回する。このような場合、第１の経路の間の旋回の方向は、第２の経路の間の旋回の方向と反対である。別の言い方をすれば、第１のステップの間の旋回が時計回りである場合、第２のステップの間の旋回は反時計回りであり、第１のステップの間の旋回が反時計回りである場合、第２のステップの間の旋回は時計回りである。
【０１５１】
第１の経路および第２の経路の間、切削部の上面はすくい面またはすくい表面として機能する。
【０１５２】
実施形態によれば、回転方法は、切削工具を金属加工物から後退させるステップと、第１のノーズ部が金属加工物から離れる方に移動させられるように、および、第２のノーズ部が金属加工物に向けて移動させられるように、切削工具を工具旋回軸の周りで旋回させるステップとをさらに含む。
【０１５３】
このような方法によって、有効位置にある使用された第１のノーズ部から有効位置における第２の新たなノーズ部への変更が短時間で行えるため、割り出し時間が短縮される。従来、回転において、割り出しは手作業で行われており、切削インサートをインサート座部から除去するステップを伴う。代替で、新たなノーズ部への変更は、使用された切削工具を機械接合部分から除去することを伴う自動または手動のステップによって行われる。従来の切削工具を使用する前述の従来の方法と比較して、本切削工具は、より短い時間しか掛からない選択肢を提供する。
【０１５４】
したがって、方法は、好ましくは第２の経路の後、切削工具を金属加工物から後退させるステップを含む。切削工具は、後続の旋回の間に干渉を回避するために、十分な逃げが提供されるように十分な距離で後退させられる。前記旋回は、第１のノーズ部が金属加工物から離れる方に移動させられるように、および、第２のノーズ部が金属加工物に向けて移動させられるように、切削工具を工具旋回軸の周りで旋回させることを意味する。別の言い方をすれば、割り出しは、使用された第１のノーズ部が無効位置へと持って行かれるように、および、新たな第２のノーズ部が有効位置へと持って行かれるように行われる。
【０１５５】
前記旋回は、第１のノーズ部分と第２のノーズ部分との間の上面図における角度差と好ましくは等しいかまたは実質的に等しい。前記旋回は、好ましくは、９０°、１２０°、１８０°、または２４０°に等しいかまたは実質的に等しい。
【０１５６】
好ましくは、前記方法は、第１のノーズ部に関して対応する方法で第２のノーズ部を使用して、金属加工物、または、前記金属加工物と同様または実質的に同様の第２の金属加工物を切削するステップを含む。
【０１５７】
実施形態または態様によれば、コンピュータ数値制御旋盤によって実行されるとき、コンピュータ数値制御旋盤に、先に記載された回転方法のいずれかを実施させる命令を有するコンピュータプログラムが提供される。
【０１５８】
前記コンピュータプログラムは、切削工具の移動および旋回を制御するための命令と、先に定められた回転方法のいずれかによる回転加工を用いて素材を除去するための金属加工物の旋回のための命令とを有する。
【０１５９】
前記命令は、切削速度、送り込み速さ、工具経路、および切削深さなどの切削データを含み得る。
【０１６０】
前記コンピュータプログラムは、好ましくは、コンピュータ読取可能媒体において保存され得る。
【０１６１】
好ましくは、前記コンピュータプログラムはデータ流によって表され得る。
【０１６２】
ここで、本発明は、本発明の異なる実施形態の記載によって、および、添付の図面を参照して、より詳細に説明される。
【図面の簡単な説明】
【０１６３】
【図１】第１の実施形態による切削工具の一部である工具本体の斜視図である。
【図２】第１の実施形態による切削工具の斜視図である。
【図３】図１における工具本体のインサート座部の斜視図である。
【図４】図２における切削工具の側面図である。
【図５】図２における切削工具のさらなる側面図である。
【図６】第２の実施形態による切削工具の側面図である。
【図７】図６における切削工具の斜視図である。
【図８】図６における切削工具の上面図である。
【図９】第３の実施形態による切削工具の斜視図である。
【図１０】図９における切削工具の側面図である。
【図１１】図９における工具本体の斜視図である。
【図１２】図１１における工具本体のインサート座部の斜視図である。
【図１３】図９における切削インサートの斜視図である。
【図１４】図１３における切削インサートの側面図である。
【図１５】図１３における切削インサートの上面図である。
【図１６】図１３における切削インサートのさらなる斜視図である。
【図１７】第４の実施形態による切削工具の側面図である。
【図１８】図１７における切削工具のさらなる側面図である。
【図１９】図１７における切削工具の斜視図である。
【図２０】図１７における切削工具の上面図である。
【図２１】図６における切削工具を使用する第１の回転方法の実施形態による第１の経路の開始である。
【図２２】図６における切削工具を使用する回転方法による第１の経路の終了である。
【図２３】図６における切削工具を使用する第１の回転方法の実施形態による第２の経路の開始である。
【図２４】図６における切削工具を使用する回転方法による第２の経路の終了である。
【図２５】図９における切削工具を使用する第２の回転方法の実施形態による第１の経路の図示である。
【図２６】図９における切削工具を使用する回転方法による第２の経路の図示である。
【図２７】回転方法による複数の経路の図示である。
【図２８】図９における切削工具を使用する回転方法の側面図である。
【図２９】図９における切削工具を使用する回転方法による側面図である。
【図３０】図２５および図２６における回転方法の側面図である。
【図３１】図２８に示された切削工具および金属加工物の斜視図である。
【図３２】図１７における切削工具を使用する回転方法の側面図である。
【図３３】図１７における切削工具を使用する回転方法の側面図である。
【図３４】図６における切削工具を使用する回転方法の側面図である。
【発明を実施するための形態】
【０１６４】
すべての切削工具の図は一定の縮尺で描かれている。
【０１６５】
工具本体３および切削インサート２を備える第１の実施形態による切削工具１を示す図１〜図５を参照する。工具本体３は、図１では切削インサート２なしで示されている。切削工具は、図３に示されているインサート座部６を備える。切削工具１は、結合部４、中間部５、および切削部２を備える回転工具である。結合部４と中間部５とは恒久的に連結され、鋼鉄から作られた工具本体３を合同で形成している。切削部２は、超硬合金から作られた第１の切削インサート２の形態である。第１の実施形態による切削工具１は、１つだけの切削インサートを備える。
【０１６６】
結合部４は旋回可能な機械接合部分（図示せず）に適している。結合部４は、実質的に円錐形または先細りの部分３９と、ＩＳＯ  ２６６２３−１：２０１４に準拠する輪状に成形された部分４０とを備える。
【０１６７】
工具本体３の前端２０または前方端が、第１の切削インサート２のための第１のインサート座部６によって定められる。第１の切削インサート２は、締め付け手段１４によって第１のインサート座部６に取り外し可能に締め付けられ、前記締め付け手段は締め付けネジ１４の形態である。
【０１６８】
第１の切削インサート２は、上面７と反対の下面８を備える。側面９が上面７と下面８とを連結する。
【０１６９】
図４において見られるように、中間平面Ｍ１が上面７と下面８との間の中間で延びている。
【０１７０】
中間部５は結合部４と切削部２との間で延びている。
【０１７１】
結合部４の長手方向中心軸が工具旋回軸Ｒ１を定めている。
【０１７２】
中間部５はその長手方向中心軸Ａ１に沿って延びている。
【０１７３】
第１の実施形態による切削工具１について、長手方向中心軸Ａ１は、図２、図４、および図５に見られるように、工具旋回軸Ｒ１と同一線上または同軸である。
【０１７４】
中間平面Ｍ１は、中間部５の長手方向中心軸Ａ１に対して垂直であり、旋回軸Ｒ１に対して垂直である。
【０１７５】
第１の切削インサート２の上面７は結合部４から離れる方を向いている。上面７は平面状ではなく、切屑破壊手段または切屑破壊物を突起の形態で備える。
【０１７６】
第１の切削インサート２は、切削工具１の自由端を各々形成する第１のノーズ部１０および第２のノーズ部１０’を備える。
【０１７７】
第１のノーズ部１０は、上面図において両方とも真っ直ぐな第１の切れ刃１１および第２の切れ刃１２と、第１の切れ刃１１と第２の切れ刃１２とを連結する凸状ノーズ切れ刃１３とを備える。凸状ノーズ切れ刃１３は上面図において凸状である。ノーズ切れ刃１３は、上面図において、０．１５〜１．３ｍｍの曲率半径を有して凸状に湾曲されている。第１の実施形態による切削工具の上面図が示されていないが、第１の実施形態による第１の切削インサート２の上面図が、同一の切削インサートを示す図８において示されている。
【０１７８】
第１の実施形態によれば、曲率半径は０．４ｍｍである。
【０１７９】
第１の切れ刃１１および第２の切れ刃１２は、３５°であるノーズ角を形成している。
【０１８０】
上面図において、第１のノーズ部１０と第２のノーズ部１０’とは、中間部５の長手方向中心軸Ａ１の周りで測定されるときに互いに対して１８０°の角度を形成している。
【０１８１】
第１の切削インサート２は、上面図および下面図において１８０°対称である。第１の切削インサートは上面図において平行四辺形とされている。
【０１８２】
図３に示されているように、第１のインサート座部６は、隆条部２３〜２６を備える第１のインサート座部旋回係止手段を備え、ここで、２つの隆条部２３、２６は同一線上にあり、２つの隆条部２４、２５は平行である。
【０１８３】
第１の切削インサート２は、下面８に形成され、第１のインサート座部旋回係止手段２３〜２６と協働する溝（図示せず）の形態での第１の切削インサート旋回係止手段を備える。
【０１８４】
第１の切削インサート２は締め付けネジ１４のための孔を備える。前記孔は上面８および下面９と交差し、孔の中心軸は、旋回軸Ｒ１および長手方向中心軸Ａ１と同一線上の第１の切削インサート中心軸を定めている。
【０１８５】
切削工具１は、工具本体３に形成され、結合部４とノズル２８との間で延びる冷却剤通路を備える。前記ノズル２８は中間部５に形成されており、冷却剤通路とノズル２８とは、冷却剤流体を第１のノーズ部１０および第２のノーズ部１０’に向けて方向付けるように配置されている。
【０１８６】
ここで、切削インサート２を備える第３の実施形態による切削工具１を示す図９〜図１６を参照する。第１の実施形態による切削工具１と比較しての主たる違いは、切削インサート２およびインサート座部６の設計に関する。
【０１８７】
図１５で見られるような上面図において、第１の切れ刃１１と同一線上の第１の延長線２１と、第２の切れ刃１２と同一線上の第２の延長線２２とが、第１の切削インサート中心軸Ａ２に対して両側において延びており、第１の切削インサート中心軸Ａ２は、切削インサート２がインサート座部６に装着されるとき、旋回軸Ｒ１および長手方向中心軸Ａ１と同一線上にある。先の文は、第１の実施形態による切削工具１についても当てはまる。
【０１８８】
第１の切削インサート２は３つのノーズ部１０、１０’、１０”を備える。第１の切削インサート２は、上面図および下面図において１２０°対称である。
【０１８９】
図１５において見られるような上面図では、第１の切れ刃１１および第２の切れ刃１２は、３５°であるノーズ角αを形成している。
【０１９０】
図１２において見られるように、第１のインサート座部６は、隆条部２３〜２５を備える第１のインサート座部旋回係止手段を備え、前記隆条部２３〜２５は、第１のインサート座部６に形成された締め付けネジ１４のための孔３２に対して径方向に延びている。
【０１９１】
第１の切削インサート２は、下面８に形成され、第１のインサート座部旋回係止手段２３〜２６と協働する溝１６〜１８を備える第１の切削インサート旋回係止手段を備える。
【０１９２】
ここで、第４の実施形態による切削工具１を示す図１７〜図２０を参照する。第４の実施形態による切削工具１は、切削工具１が第２のインサート座部および第３のインサート座部にそれぞれ締め付けまたは装着される第２の切削インサート２９および第３の切削インサート３０を備える点において、第１の実施形態による切削工具１と主に異なる。前記第２のインサート座部および前記第３のインサート座部は、長手方向において第１の切削インサート２と結合部４との間で、第１の切削インサート２および結合部４から離間される工具本体３の中間部５に形成されている。
【０１９３】
第２の切削インサート２９および第３の切削インサート３０は、第１の切削インサート２と比較して、上面図において形が各々異なる。第３の切削インサート３０はネジ切りインサートである。
【０１９４】
第２の切削インサート２９および第３の切削インサート３０は、ノーズ部を各々備え、前記ノーズ部の各々は切れ刃のセットを備える。
【０１９５】
第１の切削インサート２と比較して、第２の切削インサート２９および第３の切削インサート３０は、中間部５の長手方向中心軸Ａ１からより大きい距離に配置される。
【０１９６】
図２０において見られるような上面図において、第２の切削インサート２９および第３の切削インサート３０は、第１のノーズ部および第２のノーズ部に対して等しく大きい角度または実質的に等しく大きい角度を形成する。図２０では、第１の切削インサートは、６時および１２時にそれぞれ配置されている２つのノーズ部１０、１０’を備える。第２の切削インサート２９は９時に配置されており、第３の切削インサート３０は３時に配置されており、ここで、時間の参照は、アナログの１２時間の時計に言及しており、長手方向中心軸Ａ１に対する相対位置に関連している。このような切削工具によって、逃げがさらに向上させられる。
【０１９７】
図１７において見られるように、第２の切削インサート２９および第３の切削インサート３０は、長手方向において締め付け部分４から等しい距離または実質的に等しい距離に位置決めされている。
【０１９８】
ここで、第２の実施形態による切削工具１を示す図６〜図８を参照する。第２の実施形態による切削工具１について、長手方向中心軸Ａ１が工具旋回軸Ｒ１と平行で工具旋回軸Ｒ１から離間されており、第１のノーズ部１０の凸状ノーズ切れ刃１３が工具旋回軸Ｒ１と交差または実質的に交差する点において、第２の実施形態による切削工具１は第１の実施形態による切削工具１と主に異なる。別の言い方をすれば、中間部５は工具旋回軸Ｒ１に対してずれている。第１のノーズ部１０の凸状ノーズ切れ刃１３の中間点は、工具旋回軸Ｒ１から０．５ｍｍ以下に位置決めされている。
【０１９９】
他の点において、第２の実施形態による切削工具１は第１の実施形態による切削工具１と同様である。例えば、図８において見られるような上面図において、第１の切れ刃１１と同一線上の第１の延長線２１と、第２の切れ刃１２と同一線上の第２の延長線２２とは、中間部５の長手方向中心軸Ａ１に対して両側において延びている。
【０２００】
第１、第３、および第４の実施形態によれば、図８において見られるような上面図において、中間部５と第１の切削インサート２とは結合部４の外側境界線の内側にある。
【０２０１】
ここで、コンピュータによる数値制御旋盤（図示せず）についての第１の回転方法を示す図２１〜図２４を参照する。前述の実施形態のいずれも使用できるが、第２の実施形態の切削工具１が提供されている。切削インサート２は第１のノーズ部１０と第２のノーズ部１０’とを備える。図２１〜図２４における方法では、第２のノーズ部１０’は有効位置にある。方法は、代わりに第１のノーズ部１０が有効位置にある場合に実施されてもよい。このような場合、切削工具１は工具旋回軸Ｒ１の周りで１８０°旋回させられる。
【０２０２】
加工物旋回軸Ｒ２の周りに旋回する金属加工物３１が提供される。工具旋回軸Ｒ１は加工物旋回軸Ｒ２に対して垂直である。例では、加工物旋回軸Ｒ２は水平位置にあり、工具旋回軸Ｒ１は鉛直位置にある。１つの可能な代替は、加工物旋回軸Ｒ２を鉛直位置で配置し、工具旋回軸Ｒ１を水平位置で配置することである。
【０２０３】
方法は、第１の切れ刃１１’が有効となるように、および、第２の切れ刃１２’が無効となるように、および、機械加工表面３８がノーズ切れ刃１３’によって形成されるように、上面図で見たとき、切削工具１を移動させることで第１の経路３６を作るステップを含む。第１の経路３６の開始は図２１に示されている。第１の経路の終了または完了は図２２に示されている。
【０２０４】
方法は、第１の切れ刃１１’が無効となるように、第２の切れ刃１２’が有効となるように、および、第１の経路３６から機械加工表面３８の少なくとも一部分が機械加工されるように、切削工具１を移動させることで、第２の経路３７を作るステップを含み、第２の経路は第１の経路と長手方向または径方向で反対もしくは実質的に反対である。第２の経路３７の開始は図２３に示されている。第２の経路の終了または完了は図２４に示されている。図２１〜図２４に示されている方法について、第２の経路は第１の経路に対して長手方向で反対である。
【０２０５】
図２１および図２２から分かるように、前記第１の経路は線形である。したがって、前記第１の経路は、加工物旋回軸Ｒ２と平行である、つまり、加工物旋回軸Ｒ２に沿う成分３２によって定められ得る。
【０２０６】
図２３および図２４から分かるように、前記第２の経路は線形である。したがって、前記第２の経路は、加工物旋回軸Ｒ２と平行であり、第１の方向についての成分３２と反対である成分３３によって定められ得る。
【０２０７】
図２１および図２２において見られるように、第１の経路３６についての開始位置と終了位置とは離間されている。
【０２０８】
第１の経路３６および第２の経路３７の間、切込み角は一定である。
【０２０９】
第１の経路３６の後であるが第２の経路３７の前、切削工具１は金属加工物３１から後退させられる。
【０２１０】
切削工具１の後退の後であるが第２の経路３７の前、切削工具１は、４０°〜１３０°である角度で工具旋回軸Ｒ１の周りに旋回させられる。
【０２１１】
ここで、第３の実施形態による切削工具を使用する第２の回転方法を示す図２５〜図２６に注目する。切削インサート２だけが示されている。方法は、任意の他の実施形態による切削工具を使用して使用され得る。
【０２１２】
加工物旋回軸Ｒ２の周りに旋回する金属加工物３１が提供される。工具旋回軸（図示せず）は加工物旋回軸Ｒ２に対して垂直である。方法は、第１の切れ刃１１が有効となるように、および、第２の切れ刃１２が無効となるように、および、機械加工表面３８がノーズ切れ刃１３によって形成されるように、切削工具を移動させることで、図２５に示された第１の経路を作るステップを含む。右手側から開始して左手側に向けて移動する切削インサート２の５つの位置が示されている。
【０２１３】
方法は、第１の切れ刃１１が無効となるように、および、第２の切れ刃１２が有効となるように、および、第１の経路からの機械加工表面３８の少なくとも一部分が機械加工されるように、切削工具を移動させることで、図２６に示された第２の経路を作るステップを含む。
【０２１４】
第１の経路の間、切削工具は、工具旋回軸の周りで、図２５では反時計回りである第１の方向に旋回する。
【０２１５】
第２の経路の間、切削工具は、工具旋回軸の周りで第２の方向に旋回し、図２６では時計回りである前記第２の方向は、前記第１の方向と反対である。
【０２１６】
図２５において見られるような第１の経路の間、切削工具は非線形または湾曲した線に沿って移動させられる。第１の経路は、左手側に向かっている長手方向の成分３２を含む。
【０２１７】
図２６において見られるような第２の経路の間、切削工具は非線形または湾曲した線に沿って移動させられる。第２の経路は、右手側に向かっている、つまり、第１の経路の長手方向の成分３２と反対である長手方向の成分３３を含む。
【０２１８】
第１の経路および第２の経路の間、切込み角は一定である。
【０２１９】
第１の経路の後であるが第２の経路の前、切削工具は金属加工物３１から後退させられる。
【０２２０】
ここで、第３の回転方法を示す図２７に注目する。任意の回転工具の実施形態が使用できる。第１の経路３６および第２の経路３７が示されている。前記第１の経路３６と前記第２の経路３７とは、第２の回転方法と同様または実質的に同様である。前記第１の経路３６および前記第２の経路３７は、所定の特徴を金属加工物に漸進的に切削するために繰り返される。別の言い方をすれば、第３の回転方法は、後続の経路が反対または実質的に反対の方向である切削工具の一連の交互の経路を含む。
【０２２１】
ここで、金属加工物３１および第３の実施形態による切削工具１の相対的な位置および配向を側面図において示す図２８に注目する。代替で、任意の他の切削工具の実施形態が使用できる。切削工具１は、ＣＮＣ旋盤（図示せず）の機械接合部分４０に締め付けられる結合部４と、中間部５と、切削インサートの形態での切削部２とを備える。結合部４の長手方向中心軸が工具旋回軸Ｒ１を定めている。中間部５はその長手方向中心軸Ａ１に沿って延びている。切削部２は、結合部４から離れる方を向く上面を備える。
【０２２２】
金属加工物３１は、図２８において、加工物旋回軸Ｒ２の周りで時計回り方向に回転する。
【０２２３】
工具旋回軸Ｒ１は加工物旋回軸Ｒ２に対して垂直である。工具旋回軸Ｒ１は、凸状ノーズ切れ刃１３との接触の点における金属加工物３１の接線が結合部４と交差するように配置されている。接線方向の切削力が機械接合部分４０に向けて方向付けられる。工具旋回軸Ｒ１は金属加工物３１の周囲面からある距離で離間されている。工具旋回軸Ｒ１は前記接線と平行である。
【０２２４】
ここで、金属加工物３１および第３の実施形態による切削工具１の相対的な位置および配向を示す図２９に注目する。図２９における配置は、工具旋回軸Ｒ１が前記接線と平行ではないが前記接線に対して１０°以下の角度を形成する点だけにおいて、図２８と異なっている。
【０２２５】
ここで、切削工具１を含む図２５および図２６から切削インサート２の中心位置の側面図を示す図３０に注目する。
【０２２６】
ここで、図２８において示されている構成の斜視図を示す図３１に注目する。図示された金属加工物３１は円筒形であり、側部の表面４１、つまり、加工物旋回軸Ｒ２から離れる方を向く表面と、基部の表面４２、つまり、加工物旋回軸Ｒ２と平行な方向を向く表面とを備える。金属加工物３１は、見る人から離れる方を向く第２の基部の表面を備える。前述した第１、第２、および第３、第４の回転方法において、ならびに、後述する第４の回転方法において、機械加工は、金属加工物３１の側部の表面４１において行われる。別の言い方をすれば、材料が金属切削によって前記側部の表面４１から除去される。後述する第５の回転方法では、機械加工は、金属加工物３１の基部の表面４２において行われる。
【０２２７】
ここで、第４の実施形態による切削工具１を使用する第４の回転方法を示す図３２および図３３に注目する。
【０２２８】
方法は、第１の切削インサート２を使用する前述した回転方法のいずれかを含み、第４の実施形態による切削工具１は、図３２に示されているような金属加工物３１に対して所定位置にある。方法は、切削工具１を金属加工物３１から後退させるステップと、切削工具１を工具旋回軸Ｒ１に沿って図３３に示された位置まで前方向に移動させるステップとをさらに含む。方法は、第２の切削インサート２９が有効位置になるように、切削工具１を工具旋回軸Ｒ１の周りで所定の角度で回転させるステップをさらに含む。前記所定の角度は８０°〜１００°の範囲内にある。
【０２２９】
ここで、前述の切削工具のいずれかが使用できるが第２の実施形態の切削工具１を使用する第５の回転方法が提供されることを示す図３４を参照する。
【０２３０】
加工物旋回軸Ｒ２の周りに回転する金属加工物３１が提供される。工具旋回軸Ｒ１は加工物旋回軸Ｒ２に対して垂直である。
【０２３１】
先に記載した回転方法と異なり、第５の回転方法において機械加工は金属加工物３１の基部の表面において行われる。
【０２３２】
工具旋回軸Ｒ１は加工物旋回軸Ｒ２に対して垂直である。例では、加工物旋回軸Ｒ２と工具旋回軸Ｒ１との両方が水平位置にある。１つの可能な代替は、加工物旋回軸Ｒ２と工具旋回軸Ｒ１との両方を鉛直位置で配置することである。
【０２３３】
切削インサート２は第１のノーズ部１０と第２のノーズ部１０’とを備える。図３４における方法では、第２のノーズ部１０’は有効位置にある。方法は、代わりに第１のノーズ部１０が有効位置にある場合に実施されてもよい。このような場合、切削工具１は工具旋回軸Ｒ１の周りで１８０°旋回させられる。
【０２３４】
方法は、第１の切れ刃１１’が有効となるように、および、第２の切れ刃１２’が無効となるように、および、機械加工表面がノーズ切れ刃１３’によって形成されるように、切削工具を移動させることで第１の経路３６を作るステップを含む。
【０２３５】
方法は、第１の切れ刃１１’が無効となるように、および、第２の切れ刃１２’が有効となるように、および、第１の経路３６からの機械加工表面の少なくとも一部分が機械加工されるように、切削工具を移動させることで、第２の経路３７を作るステップを含む。
【０２３６】
第１の経路の間、切削工具は、工具旋回軸Ｒ１の周りで、図３４では反時計回りである第１の方向に回転する。
【０２３７】
第２の経路３７の間、切削工具は、工具旋回軸の周りで第２の方向に旋回し、図３４では時計回りである前記第２の方向は、前記第１の方向と反対である。
【０２３８】
第１の経路３６の間、切削工具は非線形または湾曲した経路に沿って移動させられる。第１の経路は、加工物旋回軸Ｒ２に対して垂直で加工物旋回軸Ｒ２に向かう、図３４において下向きの径方向の成分３４を含む。
【０２３９】
第２の経路３７の間、切削工具は非線形または湾曲である経路に沿って移動させられる。第２の経路は、加工物旋回軸Ｒ２に対して垂直で加工物旋回軸Ｒ２から離れる方への、図３４において上向きの径方向の成分３５、つまり、第１の経路の径方向の成分３４と反対の径方向の成分３５を含む。
【０２４０】
第１の経路および第２の経路の間、切込み角は一定である。
【０２４１】
第１の経路３６の後であるが第２の経路３７の前、切削工具は金属加工物３１から後退させられる。
【０２４２】
本出願では、「含む」などの用語の使用はオープンエンド形式であり、「備える」などの用語と同じ意味を有し、他の構造、材料、または行為の存在を除外しないように意図されている。同様に、「〜できる」または「〜し得る」などの用語の使用はオープンエンド形式であり、構造、材料、または行為が必要ではないことを反映するように意図されているが、このような用語を使用していないことが、構造、材料、または行為が必須であることを反映するようには意図されていない。構造、材料、または行為が必須であるようにここで見なされている限りにおいて、それらはそのようにして特定される。「上方」、「上向き」、「下方」、「上」、「下」、「前方」、「前」、および「後」などの用語は、ここでの図面において示され、当業者によって認識されるような特徴を参照している。
【図１】
2021516628.tif 000003
【図２】
2021516628.tif 000004
【図３】
2021516628.tif 000005
【図４】
2021516628.tif 000006
【図５】
2021516628.tif 000007
【図６】
2021516628.tif 000008
【図７】
2021516628.tif 000009
【図８】
2021516628.tif 000010
【図９】
2021516628.tif 000011
【図１０】
2021516628.tif 000012
【図１１】
2021516628.tif 000013
【図１２】
2021516628.tif 000014
【図１３】
2021516628.tif 000015
【図１４】
2021516628.tif 000016
【図１５】
2021516628.tif 000017
【図１６】
2021516628.tif 000018
【図１７】
2021516628.tif 000019
【図１８】
2021516628.tif 000020
【図１９】
2021516628.tif 000021
【図２０】
2021516628.tif 000022
【図２１−２４】
2021516628.tif 000023
【図２５−２７】
2021516628.tif 000024
【図２８】
2021516628.tif 000025
【図２９】
2021516628.tif 000026
【図３０】
2021516628.tif 000027
【図３１】
2021516628.tif 000028
【図３２】
2021516628.tif 000029
【図３３】
2021516628.tif 000030
【図３４】
2021516628.tif 000031
【国際調査報告】
2021516628.tif 000032
2021516628.tif 000033
2021516628.tif 000034